【誤訳訂正書】
【提出日】平成30年9月27日(2018.9.27)
【誤訳訂正１】
【訂正対象書類名】特許請求の範囲
【訂正対象項目名】全文
【訂正方法】変更
【訂正の内容】
【特許請求の範囲】
【請求項１】
携帯端末装置上で起動されることになるアプリケーションプログラムについてのアプリケーションプログラム情報を前記携帯端末装置において提供する方法であって、
ユーザインターフェースにおいて起動されることになる前記アプリケーションプログラムに対応する該当アプリケーションプログラムを選択する第１動作入力部をユーザに提供することと、
前記第１動作入力部を介して受け付けた選択動作に従って、前記該当アプリケーションプログラムを確定することと、
前記該当アプリケーションプログラムにおいて表示されることが保留中の情報を取得することと、
前記携帯端末装置のロック画面インターフェースに、前記表示されることが保留中の情報を表示することと
を含む方法。
【請求項２】
請求項１に記載の方法であって、前記該当アプリケーションプログラムは、１つ以上のアプリケーションプログラムを含む方法。
【請求項３】
請求項１に記載の方法であって、前記該当アプリケーションプログラムは、前記携帯端末装置にインストールされていないアプリケーションプログラムを含む方法。
【請求項４】
請求項１に記載の方法であって、
前記該当アプリケーションプログラムが、前記第１動作入力部を介して受け付けられた前記選択動作に従って確定された後、さらに
前記該当アプリケーションプログラムの識別情報と前記携帯端末装置の識別情報とを記憶のために第１サーバに送信し、前記第１サーバが、前記該当アプリケーションプログラムの前記識別情報に基づいて、前記該当アプリケーションプログラムに対応する第２サーバから前記表示されることが保留中の情報を取得することを促すことと、
前記第１サーバに、前記表示されることが保留中の情報と前記携帯端末装置の前記識別情報との対応関係を記憶することと、を含み、前記該当アプリケーションプログラムにおいて前記表示されることが保留中の情報を取得することは、前記第１サーバから前記該当アプリケーションプログラムにおいて前記表示されることが保留中の情報を取得することを含む方法。
【請求項５】
請求項４に記載の方法であって、前記第１サーバから前記該当アプリケーションプログラムにおいて前記表示されることが保留中の情報を取得することは、
前記携帯端末装置の画面が活性化され、前記ロック画面インターフェースを表示するときに、前記該当アプリケーションプログラムにおいて前記表示されることが保留中の情報を取得するリクエストメッセージを前記第１サーバに送信することを含み、前記リクエストメッセージは、前記第１サーバが前記携帯端末装置の前記識別情報と前記対応関係とに基づいて前記表示されることが保留中の情報を読出し、応答メッセージを返すことを促すための、前記携帯端末装置の前記識別情報を含む方法。
【請求項６】
請求項５に記載の方法であって、前記ロック画面インターフェースに前記表示されることが保留中の情報を表示することは、
前記ロック画面インターフェースにおいて第２動作入力部を提供することと、
前記第２動作入力部を介して前記ユーザからリクエストを受信したことに応じて、前記ロック画面インターフェースに前記表示されることが保留中の情報を表示することと
を含む方法。
【請求項７】
請求項４に記載の方法であって、前記第１サーバから前記該当アプリケーションプログラムにおいて前記表示されることが保留中の情報を取得することは、前記第１サーバによってプッシュされた前記該当アプリケーションプログラムにおいて前記表示されることが保留中の情報を受信することを含み、前記方法はさらに、前記携帯端末装置の画面を活性化し、前記携帯端末装置の前記ロック画面インターフェースに前記表示されることが保留中の情報を表示することを促すことを含む方法。
【請求項８】
請求項４に記載の方法であって、前記表示されることが保留中の情報は、前記ユーザのプライベート情報を含み、前記方法は、さらに、
前記該当アプリケーションプログラムに対応する第２サーバに登録された前記ユーザのアカウント情報を取得することと、
記憶のために前記第１サーバに前記アカウント情報をアップロードして、前記第１サーバが、前記該当アプリケーションプログラムの前記識別情報と前記ユーザの前記アカウント情報とに基づいて、前記該当アプリケーションプログラムに対応する前記第２サーバから前記表示されることが保留中の情報を取得することを促すことと、
を含む方法。
【請求項９】
請求項１に記載の方法であって、前記該当アプリケーションプログラムが前記携帯端末装置にインストルールされているアプリケーションプログラムを含むとき、前記該当アプリケーションプログラムにおいて前記表示されることが保留中の情報を取得することは、
前記該当アプリケーションプログラムから前記携帯端末装置にプッシュされた通知メッセージを取得することと、
前記通知メッセージに基づいて、前記該当アプリケーションプログラムにおいて前記表示されることが保留中の情報を取得することと
を含む方法。
【請求項１０】
請求項１に記載の方法であって、前記ロック画面インターフェースは、複数のロック画面インターフェースを含み、前記ロック画面インターフェースに前記表示されることが保留中の情報を表示することは、
異なるロック画面インターフェースに前記表示されることが保留中の情報をカテゴリ別に表示することを含み、同じロック画面インターフェースは、該当アプリケーションプログラムの同じカテゴリに対応する表示保留中情報を表示する方法。
【請求項１１】
請求項１に記載の方法であって、前記該当アプリケーションプログラムがインストルールされているアプリケーションプログラムを含むとき、前記方法は、さらに、
前記ロック画面インターフェースにおける第１表示保留中情報の詳細を閲覧するリクエストを受信することと、
前記第１表示保留中情報に対応する第１アプリケーションプログラムを起動して、前記第１表示保留中情報の前記詳細を前記第１アプリケーションプログラムのインターフェースに表示することを促すことと
を含む方法。
【請求項１２】
請求項１１に記載の方法であって、前記第１表示保留中情報に対応する前記第１アプリケーションプログラムを起動することは、前記第１アプリケーションプログラムの情報表示ルールと、対応するパラメータ情報とに基づいて前記第１アプリケーションプログラムへの開始リクエストを送信し、その結果、前記第１表示保留中情報が起動されるときに位置しているサブインターフェースに、前記第１アプリケーションプログラムが直接入力することを含む方法。
【請求項１３】
請求項１１に記載の方法であって、さらに、
前記第１アプリケーションプログラムの前記インターフェースが表示されるとき、前記表示保留中情報を同時に表示することと、
第２表示保留中情報の詳細を閲覧するリクエストを受信すると、前記第２表示保留中情報に対応する第２アプリケーションプログラムを起動して、前記第２表示保留中情報の前記詳細を前記第２アプリケーションプログラムのインターフェースに表示することを促すことと
を含む方法。
【請求項１４】
１つ以上のコンピュータ読取可能媒体であって、実行可能命令を記憶し、前記実行可能命令は、１つ以上のプロセッサにより実行されるとき、前記１つ以上のプロセッサに、
該当アプリケーションプログラムの識別情報と、クライアントによってアップロードされる対応する携帯端末装置の識別情報とを受信および記憶することであって、前記該当アプリケーションプログラムは、前記携帯端末装置上で起動されることになるアプリケーションプログラムに対応する、ことと、
前記該当アプリケーションプログラムの前記記憶された識別情報に基づいて、前記該当アプリケーションプログラムに対応する少なくとも１つの第２サーバから表示保留中情報を取得すること、
前記表示保留中情報と前記携帯端末装置の前記識別情報との間の対応関係を記憶することと、
前記記憶された対応関係に従って、携帯端末装置の前記クライアントに前記表示保留中情報を提供することと、
前記携帯端末装置のロック画面インターフェースに前記表示保留中情報を表示することと
を含む動作を実行させる１つ以上のコンピュータ読取可能媒体。
【請求項１５】
請求項１４に記載の１つ以上のコンピュータ読取可能媒体であって、前記記憶された対応関係に従って、前記携帯端末装置の前記クライアントに前記表示保留中情報を提供することは、
応答メッセージに含まれる前記携帯端末装置の前記識別情報と前記対応関係に基づいて、対応する表示保留中情報を読み取り、前記クライアントから前記表示保留中情報を取得するリクエストを受信したことに応じて前記応答メッセージを返し、前記クライアントが前記表示保留中情報を前記携帯端末装置のロック画面インターフェースに表示することを促すこと、または
前記対応関係に基づいて、前記携帯端末装置の前記クライアントに前記表示保留中情報をプッシュし、前記クライアントが前記携帯端末装置のロック画面インターフェースに前記表示保留中情報を表示することを促すこと
を含む１つ以上のコンピュータ読取可能媒体。
【請求項１６】
請求項１４に記載の１つ以上のコンピュータ読取可能媒体であって、前記動作は、前記該当アプリケーションプログラムのカテゴリに基づいて前記取得された表示保留中情報を分類することをさらに含む１つ以上のコンピュータ読取可能媒体。
【請求項１７】
携帯端末装置上で起動されることになるアプリケーションプログラムについてのアプリケーションプログラム情報を前記携帯端末装置において提供する装置であって、
ユーザインターフェースにおいて、起動されることになる前記アプリケーションプログラムに対応する該当アプリケーションプログラムを選択するための第１動作入力部をユーザに提供するのに使用される第１動作入力部提供ユニットと、
前記該当アプリケーションプログラムを、前記第１動作入力部を介して受け付けた選択動作に基づいて確定するのに使用される該当アプリケーションプログラム確定ユニットであって、前記該当アプリケーションプログラムは、１つ以上のアプリケーションプログラムを含む、前記該当アプリケーションプログラム確定ユニットと、
前記該当アプリケーションプログラムにおいて表示のための保留中の情報を取得するのに使用される表示保留中情報取得ユニットと、 
前記携帯端末装置のロック画面インターフェースに前記表示のための保留中の情報を表示するのに使用されるロック画面インターフェース表示ユニットと
を備える装置。
【請求項１８】
請求項１７に記載の装置であって、
前記該当アプリケーションプログラムが、前記第１動作入力部を介して受け付けられた前記選択動作に基づいて確定された後に、記憶のために第１サーバに、前記該当アプリケーションプログラムの識別情報と前記携帯端末装置の識別情報とを送信し、前記第１サーバが、前記該当アプリケーションプログラムの前記識別情報に基づいて前記該当アプリケーションプログラムに対応する第２サーバから前記表示保留中情報を取得し、前記第１サーバに前記表示保留中情報と、前記携帯端末装置の前記識別情報との間の対応関係を記憶することを促すのに使用される第１アップロードユニットとをさらに備える装置。
【請求項１９】
請求項１７に記載の装置であって、
前記該当アプリケーションプログラムに対応する第２サーバに登録された前記ユーザのアカウント情報を取得するのに使用されるアカウント情報取得ユニットと、
記憶のために前記第１サーバに前記アカウント情報をアップロードし、その結果、前記第１サーバが前記該当アプリケーションプログラムの識別情報と前記ユーザの前記アカウント情報とに基づいて、前記該当アプリケーションプログラムに対応する前記第２サーバから、前記表所保留中情報を取得するようにするのに使用される第２アップロードユニットと
をさらに備える装置。
【請求項２０】
請求項１７に記載の装置であって、
前記ロック画面インターフェースにおける第１表示保留中情報の詳細を閲覧するリクエストを受信するために使用される詳細閲覧リクエスト受信ユニットと、
前記第１表示保留中情報に対応する第１アプリケーションプログラムを起動し、前記第１表示保留中情報の前記詳細を前記第１アプリケーションプログラムのインターフェースに表示することを促すのに使用されるアプリケーションプログラム起動ユニットと
をさらに備える装置。
【誤訳訂正２】
【訂正対象書類名】明細書
【訂正対象項目名】全文
【訂正方法】変更
【訂正の内容】
【発明の詳細な説明】
【発明の名称】携帯端末装置におけるアプリケーションプログラム情報を提供する方法および装置
【技術分野】
【０００１】
本開示は、移動通信技術の分野に関し、特に携帯端末装置におけるアプリケーションプログラム情報を提供する方法および装置に関する。
【０００２】
（関連する特許出願に対するクロスリファレンス）
本願は、「携帯端末装置におけるアプリケーションプログラム情報を提供する方法および装置」と題され、２０１３年１１月６日に出願された中国特許出願Ｎｏ.２０１３１０５４７８０３．４に基づく外国優先権を主張するものであり、その内容を参照により含むものである。
【背景技術】
【０００３】
携帯端末装置と移動通信技術の急速な発達に伴い、知的携帯端末がユーザにより使用される様々なタイプの情報を取得する最も一般的な手段となった。現在、携帯端末ユーザは、主にアプリケーションプログラム（アプリ）を介して携帯端末における情報を取得している。ユーザは、携帯端末のメインインターフェースに入力する必要があり、複数のアイコンから所望のアプリのアイコンを見つけ、アイコンをクリックすることでアプリを起動し、アプリにより提供される情報を取得する。よって、毎度情報を取得する経路は比較的長いものとなる。インストールされているアプリの数が多くなると、その場所を見つける問題が起こる。
【０００４】
よって、当業者により早急に解決される必要がある技術的課題とは、ユーザのために情報を取得する経路を如何に短くするかということである。
【発明の概要】
【０００５】
本概要は、後に詳細な説明にてさらに説明する概念の中から選んだものを簡略的に紹介するものである。本概要は、特許請求された主題の全ての重要な特徴や必須の特徴を示す意図のものではなく、特許請求された主題の範囲を判定する上で単独で参考される意図のものでもない。例えば、「技術」という用語は、上記または本開示全体において認められるように、装置、システム、方法、および／またはコンピュータ読取可能な命令を指す。
【０００６】
本開示は、ユーザのために情報を取得する経路を如何に短くすることができる携帯端末装置におけるアプリケーションプログラム情報を提供する方法および装置を提供する。
【０００７】
本開示は、以下の解決方法を提供するものである。
【０００８】
携帯端末装置にアプリケーションプログラム情報を提供する方法は、ユーザインターフェースにおいて、ユーザが該当アプリケーションプログラムを選択する第１動作入力部を提供すること、上記第１動作入力部を介して受け付けた選択動作に基づいて上記該当アプリケーションプログラムを確定すること、上記該当アプリケーションプログラムの、表示保留中情報を取得すること、および上記携帯端末装置のロック画面インターフェースに表示保留中情報を表示することを含む。
【０００９】
アプリケーションプログラム情報を提供する方法は、該当アプリケーションプログラムの識別情報と、クライアント装置がアップロードした対応する携帯端末装置の識別情報とを受け取り、記憶すること、上記該当アプリケーションプログラムに対応する少なくとも１つの第２サーバから表示保留中情報を、上記記憶された該当アプリケーションプログラムの識別情報に基づいて取得し、上記表示保留中情報と、携帯端末装置の識別間の対応関係を記憶すること、および上記記憶された対応関係に基づいて、上記携帯端末装置のクライアント装置に上記表示保留中情報を提供することを含む。
【００１０】
携帯端末装置にアプリケーションプログラム情報を提供する装置は、ユーザが該当アプリケーションプログラムをユーザインターフェースにおいて選択するための第１動作入力部を提供するのに使用される第１動作入力部提供ユニットと、上記該当アプリケーションプログラムを、上記第１動作入力部を介して受け付けた選択動作に基づいて確定するのに使用される該当アプリケーションプログラム確定ユニットと、上記該当アプリケーションプログラムにおいて表示される表示保留中情報を取得するのに使用される表示保留中情報取得ユニットと、上記携帯端末装置のロック画面インターフェースに上記表示保留中情報を表示するのに使用されるロック画面インターフェース表示ユニットと、を備える。
【００１１】
アプリケーションプログラム情報を提供する装置は、該当アプリケーションプログラムの識別情報と、クライアント装置がアップロードした対応する携帯端末装置の識別情報とを受け取り、記憶するために使用される情報受信ユニットと、上記該当アプリケーションプログラムに対応する少なくとも１つの第２サーバから表示保留中情報を、上記記憶された該当アプリケーションプログラムの識別情報に基づいて取得し、上記表示保留中情報と、携帯端末装置の識別間の対応関係を記憶するために使用される表示保留中情報取得ユニットと、上記記憶された対応関係に基づいて、上記携帯端末装置のクライアント装置に上記表示保留中情報を提供するのに使用された表示保留中情報提供ユニットと、を備える。
【００１２】
本開示において提供された特定の実施形態により、本開示は、以下の技術的効果を開示するものである。
【００１３】
本願の実施形態を用いれば、アンロックし、アプリケーションプログラムのアイコンを探し、アイコンをクリックしてアプリケーションプログラム等を起動する等の一連の作業を行わずに、ユーザの該当アプリケーションプログラムの情報を、携帯端末装置のロック画面インターフェースに直接表示することができる。よって、ユーザによる情報を取得する動作経路が短くなる。また、ユーザに対して表示される情報は、複数の該当アプリケーションプログラムを集約した後に得られた結果であってもよく、よって、ユーザは、１つのインターフェースにおいて複数のアプリケーションプログラムの情報を閲覧して、散乱した情報の問題を解決し、ユーザの動作を簡略化してユーザの体験を向上することができる。
【００１４】
また、第三者のコンテンツデータもサーバ側を介して第三者サーバから取得することが可能であり、そして、メッセージプッシュ等の機構を利用して、クライアント側に適時プッシュされる。よって、より多くのコンテンツカテゴリを、非常に簡単に拡張可能なこの方法でロック画面アプリケーションクライアント装置に集約することができる。従来技術と比較して、より高いフレキシビリティが得られ、独立性が高いコンテンツの整理を、より正確で適時的な情報により行うことができる。 
【００１５】
また、情報ソースサーバから直接表示される表示保留中情報を取得することにより、ユーザは、その特定の情報を、アプリケーションプログラムを起動することなく、取得することができる。さらに、ユーザは、現有の携帯端末にインストルールされていないアプリケーションプログラムにも注目することができる。ロック画面インターフェースプログラムは、また、このタイプのアプリケーションプログラムの情報をユーザに対して表示することができる。つまり、ユーザは、アプリケーションプログラムを起動したり、インストールすることなく、そのアプリケーションプログラムにより提供される情報を取得することができ、これにより、携帯端末装置のリソースを節約し、多数の該当アプリケーションプログラムを実行することによる携帯端末装置の消費電力の節電を行い、携帯端末装置の性能の向上を促進することができる。
【００１６】
また、本開示を実施する如何なる製品も、上記の効果を全て同時に達成するものである必要はない。
【図面の簡単な説明】
【００１７】
本開示の実施形態における技術的解決方法または従来技術をより詳細に説明するために、実施形態において使用される添付図面を以下に簡単に説明する。以下で説明する添付図面は、本開示の幾つかの実施形態を示すものに過ぎない。当業者は、これら添付図面に基づいて、何ら創造的な努力をすることなく他の図面を作成することができるであろう。
【００１８】
【図１】図１は、本開示の一実施形態における方法のフローチャートである。
【図２−１】図２（１）は、本開示の一実施形態における表示インターフェースの概略図である。
【図２−２】図２（２）は、本開示の一実施形態における表示インターフェースの概略図である。
【図２−３】図２（３）は、本開示の一実施形態における表示インターフェースの概略図である。
【図２−４】図２（４）は、本開示の一実施形態における表示インターフェースの概略図である。
【図３】図３は、本開示の一実施形態における他の表示インターフェースの概略図である。
【図４】図４は、本開示の一実施形態における他の方法のフローチャートである。
【図５】図５は、本開示の一実施形態におけるクライアント装置の概略図である。
【図６】図６は、本開示の一実施形態におけるサーバ装置の概略図である。
【発明を実施するための形態】
【００１９】
本開示の実施形態における技術的構想を、本願の実施形態において、添付の図面に基づき明確かつ完全に説明する。説明する実施形態は、本開示の実施形態の一部であり、その全てではない。本開示の実施形態に基づいて当業者が得たその他全ての実施形態も本開示の保護される権利範囲に該当するものである。
【００２０】
本開示の実施形態では、アプリケーションプログラムにおける情報をより利便的かつより適時的にユーザが取得できるように、アプリケーション（アプリ）を提供する構成であってもよい。ユーザは、携帯端末装置にこのアプリケーションをインストールする。アプリは、ユーザに関する他のアプリケーションの情報が携帯端末装置のロック画面インターフェースに表示されるように、ユーザがそのアプリケーションの情報を収集することを助けることができる。これにより、ユーザが情報を取得する作業経路が短くなるだけでなく、アプリケーションの情報がユーザにとって見やすいように収集され、それにより、異なるアプリケーションからの情報を散乱している状態で提示されユーザが困難に直面するという問題を回避することができる。説明をし易くし、また他のアプリケーションプログラムから区別し易くするため、本願の実施形態において提供されるアプリを本明細書では、「ロック画面アプリケーション」と称する。具体的な実施について、以下に詳細に説明する。
【００２１】
［実施形態１］
図１を参照し、本開示の一実施形態は、まず携帯端末装置にアプリケーションプログラム情報を提供する方法を開示する。本方法は、以下のブロックを含む構成であってもよい。
【００２２】
ブロックＳ１０１において、ユーザに対するユーザインターフェースにおいて該当アプリケーションを選択する第１動作入力部を提供するものである。
【００２３】
本開示の本実施形態において、異なるユーザは、それぞれ自分のニーズに合わせて該当アプリケーションを選択してもよい。よって、ロック画面アプリケーションのユーザインターフェースには第１動作入力部が提供される構成であってもよい。ユーザは、ロック画面アプリケーションプログラムを移動端末装置にインストールする。そして、ユーザインターフェースに入力するために該アプリケーションプログラムを起動後、第１動作入力部を使用することができる。具体的には、第１動作入力部は、ボタンなどの形態で存在する動作入力部であってもよく、ユーザが第１動作入力部をクリックすると作動することができる。あるいは、第１動作入力部は、タッチ動作入力部であってもよい。例えば、タッチ動作入力部を提供後、ユーザがタッチスクリーン上で行ったタッチ動作が検知され、所定のタッチ状態を満たした時、アプリケーションプログラムリストがユーザに対して表示され、アプリケーションプログラムリストから該当アプリケーションをユーザが選択できるようにする構成であってもよい。
【００２４】
なお、選択可能なアプリケーションプログラムをユーザに表示する際には、該端末装置にインストールされているアプリケーションプログラムも表示する構成であってもよい。一実施形態において、該端末装置にインストールされていないアプリケーションプログラムをさらに表示する構成であってもよい。選択時には、ユーザは、アプリケーションプログラムがインストールされているか否かについて認識しないまま自分が所望のアプリケーションを選択することができる。この様にして、ユーザは、アプリケーションがインストールされていないものであっても、ロック画面アプリケーションから該アプリケーションにより提供される情報の幾つかを取得することができる。これにより、該端末にユーザがインストールするアプリケーションの数を減らすだけでなく、該端末の消費電力を削減しつつ、該端末にインストールされていないアプリケーションによりプッシュされる情報もユーザが閲覧できるようになる。インストールされていないアプリケーションからの情報をユーザのためにどの様に取得し、表示するかについての詳細は後述する。
【００２５】
ブロックＳ１０２において、第１動作入力部により受け付けた選択動作に基づいて該当アプリケーションプログラムを確定する。該該当アプリケーションプログラムは、１つ以上のアプリケーションプログラムを含むものであってもよい。
【００２６】
ユーザによるある選択動作の後で、ユーザにより選択されたアプリケーションプログラムを、ユーザが所望の当該アプリケーションプログラムとして直接的に確定する構成であってもよい。同じユーザに対して、複数の該当アプリケーションプログラムを選択してもよい。
【００２７】
ブロックＳ１０３において、該当アプリケーションプログラムの、表示保留中情報を取得する。
【００２８】
ユーザの該当アプリケーションの確定後、該当アプリケーションプログラムの表示保留中情報は、本開示の本実施形態のロック画面アプリケーションを介して取得される。
【００２９】
一実施形態では、携帯端末装置の画面が軌道してロック画面インターフェースが起動されて表示されると、該当アプリケーションプログラムの表示保留中情報が取得される。ロック画面インターフェースは、携帯端末装置の画面（タッチスクリーン）の起動後に最初に表示されるインターフェースである。ユーザによる誤動作を避けるため、スライディングやクリッキングなどの一般的な動作はロック画面インターフェースでは無効な動作だと受け取られる。特定の動作が行われた時のみ、その動作はユーザの有効な動作だと受け取られ、応答が行われる。例えば、アンロック動作を行うための「スライダ」がロック画面インターフェースに存在する構成であってもよく、アンロック動作などの方向が示されている。ユーザがスライダをその方向に引っ張ると、ユーザが画面をアンロックしたいと希望していると受け取られ、携帯端末装置のメインインターフェースに入力を受け付け、インストルール済みの様々なアプリケーションプログラム等のアイコンが表示される。
【００３０】
本開示の一実施形態では、ロック画面アプリケーションにより得られた所用のアプリケーションプログラムにおいて表示用の情報は、一般にアプリケーションプログラムが生成した最新のメッセージである。このタイプの表示保留中情報を取得する方法には多くの実施方法がある。
【００３１】
例えば、一実施例では、もし該当アプリケーションプログラムが当該端末にインストール済みのアプリケーションプログラムである場合、該当アプリケーションプログラムは一般にオペレーティングシステムの通知センタに最新のメッセージをプッシュするものである。よって、ロック画面アプリケーションは、オペレーティングシステムの通知センタから該当アプリケーションの表示保留中情報を取得することができる。一見、この実施例では、オペレーティングシステムからのサポートが一般に必要である。例えば、アンドロイドオペレーティングシステムの古いバージョンでは、サポートを提供することができないかしれない。また、該当アプリケーションプログラム全てがオペレーティングシステムの通知センタにメッセージをプッシュするという分けではなく、そのような場合、このアプリケーションの最新のメッセージがオペレーティングシステムの通知センタより得られない。当該装置にインストールされていない該当アプリケーションプログラムの場合、最新のメッセージはこの方法では取得できない。
【００３２】
よって、本開示の一実施形態では、表示保留中情報はメッセージプロバイダのサーバから直接取得されるものであってもよい。このアプローチを実現するため、ユーザの該当アプリケーションプログラム情報が確定後、ロック画面アプリケーションのクライアント装置は、該当アプリケーションプログラムの識別情報と当該移動端末装置の識別情報とを、記憶用のロック画面アプリケーションのサーバに送信する構成としてもよい。（該当アプリケーションプログラムに対応するサーバから区別するために、ロック画面アプリケーションのサーバを「第１サーバ」と称し、該当アプリケーションプログラムに対応する１つまたは複数のサーバを「第２サーバ」と称する。）携帯端末装置の識別情報は、異なる携帯端末装置を区別する携帯端末装置のＩＤなどのハードウェア識別子を含んでいてもよい。よって、第１サーバは、携帯端末装置の識別情報と、該当アプリケーションプログラム間の対応関係を記憶する構成であってもよい。１つの装置ＩＤは、複数の該当アプリケーションプログラムに対応するものであってもよい。情報を取得後、第１サーバは、所定のストラテジ（例えば、所定の時間間隔等）に基づいて、該当アプリケーションプログラムに対応する第２サーバにアクセスする構成であってもよい。もし第２サーバに更新があれば、第１サーバは、更新された情報を受け取り、第１サーバに更新された情報を記憶する構成であってもよい。また、取得した情報は、該当アプリケーションプログラムのカテゴリ（カテゴリについては後述する）に基づいて整理されてもよい。
【００３３】
要するに、ロック画面アプリケーションはユーザが所望のアプリケーションプログラムの表示保留中情報を第１サーバから取得する構成であってもよい。具体的な実施例では、ロック画面アプリケーションのクライアントは、該端末装置の画面が起動されロック画面インターフェースが表示されたことを検知すると、表示保留中情報を取得するリクエストを第１サーバに送信し、該リクエストには装置ＩＤなどの識別情報を含める構成であってもよい。これにより、第１サーバは、装置ＩＤと、記憶済みの対応関係に基づいて、装置ＩＤに関連する表示保留中情報を確定し、該情報をクライアントに返送する構成であってもよい。よって、クライアント装置は、表示保留中情報を取得することができる。または、他の実施例では、第１サーバは、ロック画面アプリケーションのクライアント装置に表示保留中情報を積極的にプッシュする構成であってもよい。第１サーバによりプッシュされた表示保留中情報を受信後、クライアント装置は自動的に携帯端末装置を起動させ、第１サーバによりプッシュされた表示保留中情報をロック画面インターフェース上に表示する構成であってもよい。
【００３４】
所望アプリケーションプログラムにより提供された最新のメッセージなどの情報は、通常、該所望アプリケーションプログラムに対応する第２サーバより送られる。よって、本実施例では、端末装置のオペレーティングシステムと所望アプリケーションプログラムの制限は解決される。また、ユーザがあるアプリケーションプログラムをインストールしていなくても、該アプリケーションプログラムのサーバから情報を得て、ユーザのロック画面インターフェースに表示することが可能である。また、インストールされていないアプリケーションプログラムについては、ユーザはロック画面アプリケーションにより提供されたインターフェースで表示保留中情報を閲覧することのみが可能である。
【００３５】
なお、表示保留中情報を該当アプリケーションプログラムの第２サーバから取得するプロセスにおいて、表示保留中情報の幾つかは、あるニュースウェブサイトの最新報道などの一般的な情報であってもよい。しかし、いくつかの表示保留中情報はユーザのプライベートな情報、つまり、第２サーバに登録されたアカウント情報（ユーザ名やパスワード等）を使用してユーザがログインした後にのみ対応する第２サーバから取得することができる表示保留中情報である。例としては、ライワン（Ｌａｉｗａｎｇ）、ウェイボ（Ｗｅｉｂｏ）、ウィチャット（ＷｅＣｈaｔ）等ソーシャルタイプのアプリケーションにおけるユーザの情報やＥメールボックス等の情報が挙げられる。プライベート情報を取得する為には、ユーザが該当アプリケーションプログラムを選択した時に、ロック画面アプリケーションのクライアント装置は、まず該当アプリケーションに対応する第２サーバに登録されたユーザのアカウント情報を取得し、該アカウント情報を記憶用第１サーバにアップロードする。言い換えると、該当アプリケーションプログラムの識別情報を記憶することに加え、第１サーバは、該アプリケーションプログラムに対応する第２サーバに登録されたユーザのアカウント情報もさらに記憶する構成であってもよい。これにより、第１サーバは、該当アプリケーションプログラムの識別情報とユーザのアカウント情報に基づいて、該当アプリケーションプログラムに対応する第２サーバから表示保留中情報を取得することができる。
【００３６】
具体的には、該当アプリケーションプログラムに対応する第２サーバに登録されたユーザのアカウント情報を取得するのには、多くのアプローチが使用可能である。例えば、簡便なアプローチの１つとしては、アカウント情報を取得する必要がありえる任意の該当アプリケーションプログラムをユーザが選択したことを検知すると、アカウント情報を入力する動作入力部（例えば、入力ボックス）がロック画面アプリケーションのユーザインターフェース上に提供され、ユーザに自身のアカウント情報を入力することを促す。ユーザがアカウント情報を入力すると、該アカウント情報は、記憶用第１サーバにアップロードされてもよい。また、携帯端末装置で実行される該当アプリケーションプログラムについては、ユーザのアカウント情報は、通常、携帯端末装置に直接記録されており、ユーザは、アプリケーションプログラムにアクセスする毎に直接第２サーバにログインする。よって、ユーザの作業をより簡略化するために、ロック画面アプリケーションは、該当アプリケーションプログラムのアカウント情報を関連付する構成であってもよい。つまり、該当アプリケーションプログラムのアカウント情報を携帯端末装置から直接読み取る構成であってもよい。また、関連付けの前に質問メッセージを送信する構成であってもよい。例えば、ダイアログボックスがポップアップし、「ロック画面アプリケーションが貴方のアカウント情報を自動で関連付けします」と表示し、「イエス」「ノー」などの選択肢が提供される。ユーザから承認する旨の命令を受けると、携帯端末装置に記録された情報に基づいてアカウント情報が取得され、該取得された情報が第１サーバにアップロードされる。言い換えると、本第２実施例では、ユーザによってユーザ名やパスワードを繰り返し入力する等の作業が回避される。
【００３７】
つまり、特定の実施例では、ロック画面アプリケーションのクライアント装置は、携帯端末装置のオペレーティングシステムの通知センタから任意の表示保留中情報を読み取ってもよく、またはロック画面アプリケーションに対応する第１サーバからの任意の表示保留中情報をリクエストしてもよい。また、表示保留中情報は、上記２つのアプローチを同時に使用して取得されてもよい。
【００３８】
ブロックＳ１０４では、携帯端末装置のロック画面インターフェースに表示保留中情報を表示する。
【００３９】
従来技術では、ロック画面インターフェースは、一般に、簡単な情報のみを表示する。例えば、時間や天気などの情報が、上記のアンロック動作を行うスライダに加えて表示される。本開示の実施形態では、ユーザが現在所望のアプリケーションプログラムから取得した任意の表示保留中情報をロック画面インターフェース上に表示する構成であってもよい。言い換えると、本開示の実施形態では、ユーザは、アンロックし、アプリケーションプログラムのアイコンを探し、アイコンをクリックしてアプリケーションプログラム等を起動する等の一連の作業を行わずにロック画面インターフェースに様々な該当アプリケーションプログラムの情報を直接閲覧することができ、ユーザが情報を取得する作業経路を短くすることができる。また、ロック画面アプリケーションによってユーザに対して表示する情報は、複数の該当アプリケーションプログラムがフォローする情報を集積した結果でもよい。よって、ユーザは、１つのインターフェースで複数のアプリケーションプログラムの情報を閲覧することができ、これにより情報がまとまっていない状態であることに起因する複雑な作業の問題を解決することができる。
【００４０】
また、第三者のコンテンツデータもサーバ側を介して第三者サーバから取得することが可能であり、該コンテンツデータは、メッセージプッシュ等の機構を利用して、クライアント側に適時プッシュされる。よって、より多くのコンテンツカテゴリを、非常に簡単に拡張可能なこの方法でロック画面アプリケーションのクライアント装置に集約することができる。従来技術と比較して、より高いフレキシビリティが得られ、独立性が高いコンテンツの整理を、より正確で適時的な情報により行うことができる。
【００４１】
また、情報ソースサーバから直接表示される表示保留中情報を取得することにより、ユーザは自分が所望するアプリケーションプログラムを起動することなく特定の情報を取得することができる。また、ユーザは、当該携帯端末にインストールされていないアプリケーションプログラムに注目することができ、ロック画面アプリケーションは、該アプリケーションプログラムの情報を表示することができる。つまり、ユーザは、アプリケーションプログラムを起動したり、インストールすることなく、そのアプリケーションプログラムにより提供される情報を取得することができ、これにより、携帯端末装置のリソースを節約し、多数の該当アプリケーションプログラムを実行することによる携帯端末装置の消費電力を減らし、携帯端末装置の性能の向上を促進することができる。
【００４２】
なお、具体的な実施例では、ロック画面アプリケーションにより取得された表示保留中情報を携帯端末装置のロック画面インターフェースに表示するために、ロック画面アプリケーションは、予め携帯端末装置のオペレーティングシステムに「画面オン」イベントを登録する構成であってもよい。その場合、画面が起動されると、ロック画面アプリケーションは、ロック画面インターフェースに表示される、取得された表示保留中情報を直接表示することができる。
【００４３】
また、該当アプリケーションプログラムが多数の場合、アプリケーションプログラムにおいて表示される表示保留中情報がユーザに対して表示された時に情報が比較的散乱している状態になる場合がある。この問題を解決する為、本開示の実施形態は、表示保留中情報が表示された時に、複数のロック画面インターフェースが含まれる構成であってもよく、様々な表示保留中情報が異なるロック画面インターフェースにカテゴリに分かれて表示される構成であってもよい。同じロック画面インターフェースは、同じ該当アプリケーションプログラムに対応する表示保留中情報を表示する。言い換えると、該当アプリケーションプログラムは、表示前にカテゴリ別に分類され、例えば、ソーシャルカテゴリ、ニュースカテゴリ、ウェブサイトサービスカテゴリ、画像カテゴリ等に分類される（どのカテゴリにアプリケーションプログラムが所属するかは、予め一般のアプリケーションプログラムに割り当てられているラベルに基づいて判断されてもよく、本明細書では説明しない従来技術における実施例を参照してもよい）。そして、該当アプリケーションプログラムから取得された表示保留中情報を整理し、同じカテゴリのアプリケーションプログラムの表示保留中情報は、同じロック画面インターフェースに配されるように整理される。表示保留中情報が第１サーバから取得された場合、表示用を整理する作業は、第１サーバが実施してもよい。言い換えると、表示保留中情報を取得後、第１サーバは、アプリケーションプログラムの各カテゴリに基づいて表示保留中情報を直接整理してもよい。これにより、表示保留中情報を取得するリクエストをクライアント装置から受け取ったら、カテゴリ情報を含む表示保留中情報を直接返送することができる。クライアント装置は、異なるロック画面インターフェースに様々なカテゴリの該当アプリケーションプログラムの表示保留中情報を素早く表示することができる。
【００４４】
例えば、図２（１）、図２（２）、図２（３）、および図２（４）に４つのロック画面インターフェースを示す。図２（１）には、「ソーシャルセンタ」のカテゴリの様々な該当アプリケーションプログラム（ライワン（Ｌａｉｗａｎｇ）、ウェイボ（Ｗｅｉｂｏ）、ウィチャット（Ｗｅｃｈａｔ）、ＳＭＳ等）の表示保留中情報を示す。図２（２）には、「面白画像とジョーク」のカテゴリの様々な該当アプリケーションプログラムの表示保留中情報を示す。図２（３）には、「最新ニュース」のカテゴリの様々な該当アプリケーションプログラムの表示保留中情報を示す。図２（４）には、「ウェブサービス」のカテゴリの様々な該当アプリケーションプログラムの表示保留中情報を示す。具体的な一実施例では、水平方向や垂直方向へのスライディングなどで異なるロック画面インターフェース間での切り替えを行う構成であってもよい。
【００４５】
実際の使用では、画面が軌道され、ロック画面インターフェースが入力されると、ロック画面インターフェースにより取得された様々な表示保留中情報が直接表示される。また、ユーザが様々な該当アプリケーションプログラムで表示保留中情報を閲覧する必要がない場合、直接表示される情報がユーザの他の作業に影響しないようにするため、具体的な一実施例では、画面が起動されロック画面インターフェースが入力された後、まず動作入力部が表示される。例えば、図３における３０１に示すように、クリッキングなどのユーザの動作を該動作入力部において受け付けると、これは、ユーザが表示保留中情報を取得する必要について承認したとことを示す。そして、取得された様々な表示保留中情報が、ロック画面インターフェースに表示される。
【００４６】
様々な表示保留中情報が、ロック画面インターフェースに表示されると、ユーザは情報を直接閲覧することができる。また、様々なアプリケーションプログラムの情報を集約して表示するので、ロック画面インターフェースに表示される情報は、情報の要約などの情報量の少ない情報でもよい。もしユーザがある情報の詳細を取得したければ、ユーザは情報上でクリックするなどの動作をすればよい。例えば、動作を受け付けると、ロック画面アプリケーションは、該表示保留中情報に対応する所望アプリケーションプログラムを確定し、オペレーティングシステムによりインターフェースを介して提供された該所望アプリケーションプログラムを直接起動する構成であってもよい。これにより、所望アプリケーションプログラムを入力することができ、ユーザは、インターフェースを操作して情報の詳細を閲覧することができる。
【００４７】
また、表示保留中情報の詳細は、所望アプリケーションプログラムのメインインターフェースに直接表示されなくてもよく、所望アプリケーションの任意のサブインターフェースに表示される。例えば、ウェイボから受け取ったプライベートメッセージをロック画面アプリケーションが取得し、ウェイボを起動させ、ウェイボのメインインターフェースに入力すると、ユーザは、該メインインターフェース上で「プライベートメッセージ」などのボタンをクリックして、プライベートメッセージが配置されるサブインターフェースを入力した後でのみこのプライベートメッセージの詳細情報を閲覧できる。ユーザが行う情報取得する動作経路をさらに短くするため、本開示の本実施形態では、サブインターフェース等を入力するのに必要な情報組織、表示ルール、パラメータ等の、所望アプリケーションの情報を予め取得する構成であってもよい。これにより、ユーザが任意の表示保留中情報の詳細を取得する必要がある場合、ロック画面アプリケーションは、所望アプリケーションの起動時に、情報表示ルールや所望アプリケーションの対応するパラメータ情報に基づいて、起動リクエストを所望アプリケーションに送信する構成であってもよい。それより、所望アプリケーションは、指定された表示保留中情報が位置するサブインターフェースに、起動後、直接入力することができ、これは、例えば、ユーザがメインインターフェースにアクセスした後トリガ制御を介してサブインターフェースにアクセスする動作を省略することを補助する事と同等であり、これにより、ユーザの動作経路を短くすることができる。 
【００４８】
ユーザが表示保留中情報をクリックして所望アプリケーションにアクセスするプロセスにおいて、ロック画面アプリケーション（発呼側に相当）は、所望アプリケーション（被呼側）を呼び出す。このプロセスでは、発呼側は、被呼側の情報に基づいて呼出ＵＲＬを生成し、該ＵＲＬをオペレーティングシステムに送信してもよい（例えば、アンドロイドシステムにおいて、該システムに送信するインテントを作成する）。より直接的に所望アプリケーションのサブインターフェースにアクセスし、より精確に位置を特定するために、所望アプリケーションのパラメータルールを予め取得しておいてもよい。それにより、発呼側が、被呼側のパラメータルールに基づいて発呼ＵＲＬを組み立て、アンドロイドシステムでインテントを生成して該システムに送ることができる。
【００４９】
例えば、アリペイ（Ａｌｉｐａｙ）を使用する。
ａｌｉｐａｙｓ：//ｐｌａｔｆｏｒｍａｐｉ/ｓｔａｒｔａｐｐ？ａｐｐＩｄ＝２０００００３２
【００５０】
被呼側のＵＲＬスキームの処理プログラムは、それ自身をシステム、つまりＵＲＬの”ａｌｉｐａｙｓ：//”部分に登録する。
【００５１】
パラメータ部は、ＵＲＬパスと具体的なパラメータを含み、被呼側アプリはルールを有する。発呼側はこれらのルールに基づいて特定のアドレスを作成し、被呼側アプリの特定のページに直接アクセスする目的を達成する。
【００５２】
以下の２つの態様について本明細書では説明する。
【００５３】
まず、ユーザがロック画面インターフェースの表示保留中情報をクリックして、あるアプリケーションへのアクセス動作を始めたので、この動作を、アンロック用スライダをドラッグするユーザ動作を置換するものとして直接使用する構成でもよい。つまり、ユーザは、画面のアンロックを行いつつ、所望アプリケーションのインターフェースに直接アクセスする。また、もしユーザがパスワードを設定した場合、ロック画面アプリケーションにより提供された表示保留中情報をユーザがクリックした後に最初にパスワードを入力するインターフェースを表示するように構成してもよい。照合が成功したら、オペレーティングシステムは、所望アプリケーションのインターフェースを表示する。
【００５４】
次に、ロック画面アプリケーションが提供した表示保留中情報をクリックした後、ユーザは表示保留中情報に対応する所望アプリケーションのインターフェースにアクセスする。この表示保留中情報を読み終えた後、もしユーザが、ロック画面アプリケーションが提供する他の表示保留中情報を閲覧することを望む場合は、ユーザは端末装置のデスクトップ上ロック画面アプリケーションのアイコンを直接選択して、ロック画面アプリケーションのインターフェースにアクセスことができる。この時、ロック画面アプリケーションのインターフェースは、取得済みの様々なアプリケーションプログラムの表示保留中情報を表示してもよく、ユーザは他の表示保留中情報の詳細を閲覧するため、該表示保留中情報を選択することを継続してもよい。または、他の実施例では、ユーザは、端末装置の画面を閉じ、後で該画面を再度起動して、ロック画面インターフェースにおいて、ロック画面アプリケーションが提供する様々な表示保留中情報を閲覧してもよい。
【００５５】
上記２つの実施例では、情報の詳細を閲覧するために他のアプリケーションに切り替えるには、ユーザは複数の動作を行う必要がある。この状態を回避するため、ユーザが任意の所望アプリケーションのインターフェースにアクセス（メインインターフェースまたはサブインターフェース）後、動作入力部をインターフェースの上層に表示する構成としてもよい。ユーザが、動作入力を介してアクセス後、所望アプリケーションは、コールバック命令をロック画面アプリケーションに送り、直接ロック画面アプリケーションのインターフェースを表示して、ロック画面アプリケーションのインターフェースが様々な表示保留中情報をユーザに表示できるようにする。または、所望アプリケーションのインターフェースが表示されたら、ロック画面アプリケーションが取得した様々な表示保留中情報も直接表示する構成であってもよい。よって、ユーザは、現在のアプリケーションのインターフェースを終了して、画面の起動などの動作を行わずに、他の表示保留中情報を閲覧するリクエストを直接送信することができる。よって、新たな表示保留中情報の詳細を閲覧するリクエストを受け取ると、ロック画面アプリケーションは、該新たな表示保留中情報に対応するアプリケーションプログラムを起動し、該アプリケーションプログラムのインターフェースに該表示保留中情報の詳細を表示する。
【００５６】
所望アプリケーションのインターフェースを実装しつつ、ロック画面アプリケーションにより取得された様々な表示保留中情報を表示する実施方法は多数ある。例えば、一実施例では、所望アプリケーションのインターフェースにアクセスする際、ロック画面アプリケーションにより提供された表示保留中情報リストを該所望アプリケーションのインターフェースに組み込むか、もしくは、該所望アプリケーションのインターフェースに小ウィンドウを設け、該ウィンドウに表示保留中情報リストを表示する。これにより、所望アプリケーションプログラムのインターフェースに表示保留中情報リストの詳細を閲覧後、ユーザは表示保留中情報リストから閲覧する他の表示保留中情報の詳細を直接選択することができる。また、上記の実施例では、所望アプリケーションプログラムからのサポートをまず取得することが必要である。
【００５７】
つまり、本開示の一実施形態によれば、ロック画面アプリケーションは、異なるソースの情報の集約を行い、ユーザがロック画面インターフェースに表示されるページから所望の全ての関連情報を取得することを可能にし、よって従来技術と比較してメッセージを取得する経路を短くする。
【００５８】
最後に、本開示の一実施形態によれば、携帯端末装置のオペレーティングシステムは、アンドロイドシステム、ｉＯＳシステム、ウィンドウズ（登録商標）システム等であってもよい。
【００５９】
本開示の実施形態にて提供される方法の詳細を、実施形態１のクライアント装置の観点から説明する。具体的な実施例（第２サーバから表示保留中情報を取得する実施例）について、サーバ（上記第１サーバ）の観点から後に紹介する。
【００６０】
［実施形態２］
図４を参照し、第１サーバの観点から、本開示の実施形態は、アプリケーションプログラム情報を提供する方法をさらに提供する。本方法は、以下のブロックを含む構成であってもよい。
【００６１】
ブロックＳ４０１では、該当アプリケーションプログラムの識別情報と、クライアント装置がアップロードした対応する携帯端末装置の識別情報とを受け取り、記憶する。
【００６２】
ブロックＳ４０２では、上記該当アプリケーションプログラムに対応する少なくとも１つの第２サーバから表示保留中情報を、上記記憶された該当アプリケーションプログラムの識別情報に基づいて取得し、上記表示保留中情報と、携帯端末装置の識別間の対応関係を記憶する。
【００６３】
ブロックＳ４０３では、上記記憶された対応関係に基づいて、上記表示保留中情報を携帯端末装置のクライアント装置に表示保留中情報を提供する。
【００６４】
具体的な一実施例では、クライアント装置からリクエストを受信後に上記第１サーバは、上記取得された表示保留中情報を上記クライアント装置に返送する。言い換えると、クライアント装置から表示保留中情報を受け取るリクエストを受け取ると、上記第１サーバは、該リクエストに含まれている携帯端末の識別情報と上記記憶されている対応関係に基づいて対応する表示保留中情報を読み取り、応答メッセージを返送して、クライアント装置が携帯端末装置のインターフェースに上記表示保留中情報を表示させる。または、第１サーバは、クライアント装置に対して上記取得した表示保留中情報を直接プッシュする。言い換えると、第１サーバが、上記記憶された対応関係に基づいて、携帯端末装置のクライアント装置に上記取得された表示保留中情報をプッシュし、該クライアント装置が、該携帯端末装置のロック画面インターフェースに表示保留中情報を表示する構成であってもよい。
【００６５】
第２サーバのユーザいのプライベート情報を取得することが必要な場合は、該当アプリケーションプログラムに対応する第２サーバにユーザにより登録され、クライアント装置によりアップロードされたアカウント情報を受け取り、記憶する構成であってもよい。これにより、該当アプリケーションプログラムに対応する第２サーバから表示保留中情報が取得される場合、該当アプリケーションプログラムの識別情報とユーザのアカウント情報に基づいて、該当アプリケーションプログラムに対応する第２サーバから表示保留中情報を取得することができる。
【００６６】
表示保留中情報の取得後、第１サーバは、該該当アプリケーションプログラムが属する各カテゴリに基づいて上記表示保留中情報をさらに分類し整理する構成であってもよい。これにより、表示保留中情報を取得するリクエストを受け取った場合、このタイプのカテゴリ情報もクライアント装置に返送し、クライアント装置が異なるページに様々なカテゴリの表示保留中情報を表示できるようにする構成であってもよい。
【００６７】
なお、実施形態２は、サーバの観点から実施形態１の具体的な一実施例を説明するものである。実施形態１の説明と比較し、具体的な実施の詳細は同様であり、説明の観点が異なるのみである。よって、実施形態１の説明を参照して、詳細についての説明を再度ここで説明しない。
【００６８】
本開示の実施形態１において提供される携帯端末装置のアプリケーションプログラム情報を提供する方法に対応し、本開示の実施形態は、携帯端末装置のアプリケーションプログラム情報を提供する装置５００をさらに提供する。装置５００は、クライアント装置に位置する。図５において、装置５００は、ユーザが該当アプリケーションプログラムをユーザインターフェースにおいて選択するための第１動作入力部を提供するのに使用される第１動作入力部提供ユニット５０１と、１つ以上のアプリケーションプログラムを含む上記該当アプリケーションプログラムを、第１動作入力部を介して受け付けた選択動作に基づいて確定するのに使用される該当アプリケーションプログラム確定ユニット５０２と、上記該当アプリケーションプログラムにおいて表示される表示保留中情報を取得するのに使用される表示保留中情報取得ユニット５０３と、携帯端末装置のロック画面インターフェースに表示保留中情報を表示するのに使用されるロック画面インターフェース表示ユニット５０４と、を備える構成であってもよい。
【００６９】
具体的な実施例では、上記該当アプリケーションプログラムは、上記携帯端末装置にインストールされていないアプリケーションプログラムを含んでいてもよい。
【００７０】
インストールされていないアプリケーションプログラムから情報を取得するため、またはインストルール済みのアプリケーションプログラムに対してのオペレーティングシステムまたはプログラム自身の制約を解決するため、上記表示保留中情報を第１サーバにより取得してもよい。つまり、上記クライアント装置の上記装置は、上記該当アプリケーションプログラムが、上記第１動作入力部を介して受け取られた上記選択動作に基づいて確定された後に、記憶用の上記第１サーバに、上記該当アプリケーションプログラムの識別情報と当該携帯端末装置の識別情報とを送信し、上記第１サーバに、上記該当アプリケーションプログラムの識別情報に基づいて上記該当アプリケーションプログラムに対応する第２サーバから上記表示保留中情報を取得し、上記第１サーバに上記表示保留中情報と、上記携帯端末装置の識別間の対応関係を記憶させるのに使用される第１アップロードユニット５０５をさらに備える。
【００７１】
上記表示保留中情報取得ユニットは、上記該当アプリケーションプログラムの表示保留中情報を上記第１サーバから取得するのに使用される。
【００７２】
上記第１サーバから上記表示保留中情報を取得する場合、上記表示保留中情報取得ユニットは、上記携帯端末装置の画面が起動され上記ロック画面インターフェースを表示した時に、上記該当アプリケーションプログラムの表示保留中情報を取得するためのリクエストメッセージを上記第１サーバに送信するのに使用されるリクエストサブユニット５０６であって、上記リクエストメッセージは、上記携帯端末装置の上記識別情報を含んでおり、上記第１サーバが上記携帯端末装置の識別と上記対応関係に基づいて対応する表示保留中情報を確定し、返答メッセージを返信し、よって上記クライアント装置は上記第１サーバが返信した上記返信メッセージに基づいて上記該当アプリケーションプログラムの表示保留中情報を取得できるリクエストサブユニット５０６を備えていてもよい。
【００７３】
具体的な実施例では、上記ロック画面インターフェース表示ユニットは、上記ロック画面インターフェースに第２動作入力部を提供するのに使用される第２動作入力部提供サブユニット５０７と、上記第２動作入力部を介してユーザのリクエストを受け取ると上記ロック画面インターフェースに表示保留中情報を表示するのに使用される表示サブユニット５０８を備える。
【００７４】
その他の実施例では、第１サーバは、上記表示保留中情報を上記クライアント装置に積極的プッシュにより提供する。この場合、上記表示保留中情報取得ユニットは、上記第１サーバによりプッシュされた上記アプリケーションプログラムの表示保留中情報を受け取るように構成されていてもよい。この場合、上記クライアントの上記装置は、上記携帯端末装置の上記ロック画面インターフェースでの上記表示保留中情報の表示のために上記第１サーバによりプッシュされた上記表示保留中情報が受信された後に上記携帯端末装置の画面を起動させるのに使用される起動ユニット５０９をさらに備えていてもよい。
【００７５】
もし上記表示保留中情報がユーザのプライベート情報を含んでいる場合、上記装置は、上記該当アプリケーションプログラムに対応する第２サーバに登録されたユーザのアカウント情報を取得するために使用されるアカウント情報取得ユニット５１０と、上記記憶用の第１サーバに上記アカウント情報をアップロードし、上記第１サーバが上記表示保留中情報を、上記該当アプリケーションプログラムの識別情報と上記ユーザのアカウント情報に基づいて、上記該当アプリケーションプログラムに対応する上記第２サーバから上記表示保留中情報を取得するようにするのに使用される第２アップロードユニット５１１と、をさらに備える構成であってもよい。
【００７６】
上記アカウント情報取得ユニットは、上記アプリケーションプログラムが選択されると、上記アカウント情報を入力するための第３動作入力部を提供するのに使用される第３動作入力部提供ユニット５１２と、上記動作入力部を介して、上記ユーザにより入力された上記アカウント情報を受け取るために使用される受信ユニット５１３とを含んでいてもよい。
【００７７】
または、他の実施例では、上記アカウント情報取得ユニットは、もし上記該当アプリケーションプログラムに対応する上記第２サーバに登録されたユーザのアカウント情報が上記携帯端末装置に記憶されている場合、上記アプリケーションプログラムが選択された時に、アカウントの対応付けを実施するかどうかについてユーザに問い合わせるメッセージを送信するのに使用される問合せユニット５１４と、アカウント対応付けを実施することに同意する命令を受け取った時に、上記携帯端末装置に記憶された上記情報に基づいて上記アカウント情報を取得するのに使用される読取ユニット５１５と、を備えていてもよい。
【００７８】
その他の実施例では、上記該当アプリケーションプログラムが上記携帯端末装置にインストルールされているアプリケーションプログラムの場合、上記表示保留中情報取得ユニットは、上記該当アプリケーションプログラムが上記携帯端末装置に対してプッシュする通知メッセージを取得するのに使用される通知メッセージ取得サブユニット５１６と、上記通知メッセージに基づいて上記該当アプリケーションプログラムの上記表示保留中情報を取得するのに使用される取得サブユニット５１７と、を備えていてもよい。
【００７９】
さらに、表示保留中情報の数が多いため上記ロック画面インターフェースが表示するコンテンツが比較的散乱している状態を避けるため、複数のロック画面インターフェースを備える構成でもよく、上記ロック画面インターフェース表示ユニットは、上記ロック画面インターフェースに上記表示保留中情報をカテゴリ別に表示するのに使用されるカテゴリ表示サブユニット５１８を備え、同じロック画面インターフェースは、同じタイプの該当アプリケーションプログラムに対応する表示保留中情報を表示する構成であってもよい。
【００８０】
上記該当アプリケーションプログラムが、インストルールされているアプリケーションプログラムであった場合、上記装置は、上記ロック画面インターフェースの第１表示保留中情報の詳細の閲覧のリクエストを受け取るのに使用される詳細閲覧リクエスト受信ユニット５１９と、上記第１表示保留中情報に対応する第１アプリケーションプログラムを起動し、上記第１アプリケーションプログラムの上記表示保留中情報の詳細の表示を容易にするのに使用されるアプリケーションプログラム起動ユニット５２０と、をさらに含んでいてもよい。
【００８１】
より精確に位置を特定するため、上記アプリケーションプログラム起動ユニット５２０は、上記第１アプリケーションプログラムの情報表示と対応パラメータ情報のルールに基づいて上記第１アプリに起動リクエストを送信し、上記第１アプリケーションプログラムが起動した後に上記指定された表示保留中情報が位置するサブインターフェースに直接アクセスするように構成されていてもよい。
【００８２】
また、上記ユーザにより、他の上記表示保留中情報に対応するアプリケーションプログラムインターフェースに切り替えて、詳細を閲覧することを容易にするために、上記装置は、上記第１アプリケーションプログラムのインターフェースが展開された時、表示保留中情報を同時に表示ために使用される同時表示ユニット５２１と、上記第２表示保留中情報の詳細の閲覧のリクエストを受信すると、上記第２アプリケーションプログラムのインターフェースに上記表示保留中情報の詳細を表示するために第２表示保留中情報に対応する第２アプリケーションプログラムを起動するのに使用される起動ユニット５２２と、をさらに備える。
【００８３】
一実施形態では、上記装置５００は、１つ以上のプロセッサ５２３、ネットワークインターフェース５２４、メモリ５２５、および出入力インターフェース５２６をさらに備えるが、これらに限定されない。
【００８４】
メモリ５２５は、ランダムアクセスメモリ（ＲＡＭ）などの揮発性媒体および／またはリードオンリメモリ（ＲＯＭ）やフラッシュＲＡＭなどの非揮発性媒体の形態であるコンピュータ読取可能媒体を含んでいてもよい。上記メモリ５２５は、コンピュータ読取可能媒体の一例である。
【００８５】
コンピュータ読取可能媒体としては、コンピュータ読取可能な命令、データ構造、プログラムモジュールまたはその他のデータ等の情報を記憶する任意の方法または技術により実現された揮発性および非揮発性の媒体、着脱可能および着脱不可能な媒体が挙げられる。コンピュータ記録媒体の例としては、相変化メモリ（ＰＲＡＭ）、スタティックランダムアクセスメモリ（ＳＲＡＭ）、ダイナミックランダムアクセスメモリ（ＤＲＡＭ）、その他のランダムアクセスメモリ（ＲＡＭ）、リードオンリメモリ（ＲＯＭ）、電気的消去可能ＲＯＭ（ＥＥＰＲＯＭ）、フラッシュメモリまたはその他のメモリ技術、コンパクトディスク読取専用メモリ（ＣＤ−ＲＯＭ）、デジタル多用途ディスク（ＤＶＤ）、または他の光学記録媒体、磁気カセット、磁気テープ、磁気ディスク記録媒体、またはその他の磁気記録装置、または、コンピュータ装置がアクセスできるように情報を記憶するのに使用可能なその他の全ての非通信媒体が挙げられるが、これらに限定されない。本明細書で定義するように、コンピュータ読取可能媒体は、変調されたデータ信号や搬送波などの一次的な媒体を包含しない。
【００８６】
上記メモリ５２５は、プログラムユニット５２７とプログラムデータ５２８を含んでいてもよい。一実施形態では、上記プログラムユニット５２７は、上記のようなクライアント装置５００の上記ユニットとサブユニットを備えていてもよい。
【００８７】
本開示の実施形態２において提供されるアプリケーションプログラム情報を提供する方法に対応し、本開示の実施形態は、アプリケーションプログラム情報を提供する装置６００をさらに提供する。装置６００は、第１サーバに位置する。図６に示すように、装置６００は、該当アプリケーションプログラムの識別情報と、クライアント装置がアップロードした対応する携帯端末装置の識別情報とを受け取り、記憶するために使用される情報受信ユニット６０１と、上記該当アプリケーションプログラムに対応する少なくとも１つの第２サーバから表示保留中情報を、上記記憶された該当アプリケーションプログラムの識別情報に基づいて取得し、上記表示保留中情報と、携帯端末装置の識別間の対応関係を記憶するために使用される表示保留中情報取得ユニット６０２と、上記記憶された対応関係に基づいて、上記携帯端末装置のクライアント装置に上記表示保留中情報を提供するのに使用された表示保留中情報提供ユニット６０３と、を備える構成であってもよい。
【００８８】
上記表示保留中情報提供ユニット６０３は、上記表示保留中情報の取得のリクエストを上記クライアント装置から受け取った場合、上記リクエストに含まれている上記携帯端末装置の識別情報と上記対応関係に基づいて対応する表示保留中情報を読み取るのに使用されるリクエスト応答サブユニット６０４であって、それにより上記クライアント装置が該表示保留中情報を上記携帯端末装置の上記ロック画面インターフェースに表示するクエスト応答サブユニット６０４と、上記対応関係に基づいて、携帯端末装置のクライアント装置に上記表示保留中情報をプッシュするのに使用され、該クライアント装置に該携帯端末装置のロック画面インターフェースに表示保留中情報を表示させる積極的プッシュサブユニット６０５と、を備える構成であってもよい。
【００８９】
ユーザのプライベート情報を取得するために、上記装置は、上記該当アプリケーションプログラムに対応する第２サーバに登録され、上記クライアント装置によりアップロードされたユーザのアカウント情報を受け取り、記憶するために使用されるアカウント情報取得ユニット６０６をさらに備える構成であってもよく、上記表示保留中情報取得ユニット６０２は、上記該当アプリケーションプログラムの識別情報と上記ユーザのアカウント情報に基づいて、上記該当アプリケーションプログラムに対応する上記第２サーバから上記表示保留中情報を取得するのに使用される構成であってもよい。
【００９０】
また、装置６００は、上記該当アプリケーションプログラムのカテゴリに基づいて上記取得された表示保留中情報を分類するのに使用される分類ユニット６０７をさらに備える構成であってもよい。
【００９１】
本開示の実施形態により提供される技術スキームを用いれば、アンロックし、アプリケーションプログラムのアイコンを探し、アイコンをクリックしてアプリケーションプログラム等を起動する等の一連の作業を行わずに、ユーザは、携帯端末装置のロック画面インターフェースのアプリケーションプログラムの情報を閲覧することができる。よって、ユーザによる情報を取得する動作経路が短くなる。また、ユーザに表示される情報は、複数の該当アプリケーションプログラムの該当情報を集約した後に得られた結果であってもよい。よって、ユーザは、１つのインターフェースで複数のアプリケーションプログラムの情報を閲覧することができ、情報がまとまっていない状態であることの問題を解決し、ユーザの動作を簡略化し、ユーザの体験を向上することができる。
【００９２】
上記の実施例の説明を介して、当業者は本開示が、必要な一般的なハードウェアプラットフォームを使用して実現可能であることを理解するであろう。そのような理解に基づき、本開示の技術的解決方法は、本質的にまたは部分的に従来技術に対して貢献するものであり、ソフトウェア製品の形態としても具現化可能である。上記ソフトウェア製品は、ＲＯＭ／ＲＡＭ、磁気ディスク、光学ディスク等の記録媒体に記憶されていてもよく、コンピュータ装置（パーソナルコンピュータ、サーバ、ネットワーク装置等）に命令し、本開示の実施形態やその一部に記載されている方法を実行する命令を含んでいる。
【００９３】
上記明細書の実施形態は、漸進的に説明されており、それぞれを参照して同じ実施形態または実施形態の同様の部分をえることできる場合がある。各実施形態は、他の実施形態からことなる態様を強調している。特に、システムの実施形態について、これらの実施形態は基本的に方法の実施形態と同様であり、関連する部分は、方法の実施形態のそれぞれの部分を参照して得る事ができるので、その説明は比較的簡略的なものである。上記において説明したシステムの実施形態は、単に説明のためのものであり、別々の部材として説明されたユニットは、物理的に別々でも別々でなくてもよい。ユニットして示された部材は、物理的なユニットであっても、そうでなくてもよい。つまり、同じ場所に位置するものであっても、複数のネットワークユニット間に分散されたものであってもよい。モジュールの一部または全てを、実際の需要に合わせて、一実施形態の技術的構成の目的を実施するために選択してもよい。当業者は、何ら創造的な努力をすることなく、本開示を理解し実施することができるであろう。
【００９４】
本開示により提供された携帯端末装置にアプリケーションプログラム情報を提供する方法と装置を上記において説明した。本明細書は、具体的な実施例を用いて本開示の原理と実施例を説明するものである。上記実施形態の説明は、単に本開示の方法と中心概念の理解を助けるためのものである。さらに、当業者は、本開示の概念の具体的実施例と応用例に対し変更を加えることができるであろう。上記に鑑み、本開示の内容は、本願に対する限定と解釈されるべきものではない。
【誤訳訂正３】
【訂正対象書類名】図面
【訂正対象項目名】図１
【訂正方法】変更
【訂正の内容】
【図１】
2017504852.tif 000001
【誤訳訂正４】
【訂正対象書類名】図面
【訂正対象項目名】図４
【訂正方法】変更
【訂正の内容】
【図４】
2017504852.tif 000002
【誤訳訂正５】
【訂正対象書類名】図面
【訂正対象項目名】図５
【訂正方法】変更
【訂正の内容】
【図５】
2017504852.tif 000003
【誤訳訂正６】
【訂正対象書類名】図面
【訂正対象項目名】図６
【訂正方法】変更
【訂正の内容】
【図６】
2017504852.tif 000004